(57)【要約】      （修正有）【課題】工作時間を短縮し、ショートと信号異常を防止し、工作完了後に異常が生じた場合に修理することができる同軸ケーブル接続装置を提供する。【解決手段】同軸ケーブル接続装置は、１つのコネクタ本体と、１つの接続室と、１つの銅管と、１つの案内孔と、で構成される。案内孔に設けられる中心導体接続孔と接続室の間に絶縁層を設け、中心導体接続孔には、銅管と隣接側に嵌合溝を設け、対向側に塞ぐ壁を設ける。同軸ケーブルの中心導体が嵌合溝に穿入し、塞ぐ壁は、中心導体接続孔の案内孔を覆いて、ねじで案内孔に締め付け、中心導体が、絶縁体の凸部により押圧されて、中心導体接続孔と押圧接続になる。さらに、銅管と外側導体をボルトなどで固定する。【選択図】図２
0003160498.tif 000002
【実用新案登録請求の範囲】
【請求項１】
同軸ケーブル接続装置であって、その構造は、１つのコネクタ本体と、１つの接続室と、１つの銅管と、１つの案内孔と、で構成され、その接続手段は、前記案内孔に、中心導体接続孔を設け、中心導体接続孔と接続室の間に絶縁層を設け、中心導体接続孔には、銅管と隣接側に、嵌合溝を設け、対向側に塞ぐ壁を設け、同軸ケーブルの中心導体が前記嵌合溝に穿入し、前記塞ぐ壁は、中心導体の穿入すぎを塞ぐ、中心導体と接続室を接触してショートになることを防ぐ、絶縁体で、中心導体接続孔の案内孔を覆いて、ねじより、案内孔に締め付け、中心導体が、絶縁体の凸部により押圧されて、中心導体接続孔と押圧接続になり、さらに、銅管と外側導体をボルトなどで固定することを特徴とする同軸ケーブル接続装置。
【請求項２】
前記コネクタ本体は、９０度接続のコネクタであることを特徴とする請求項１に記載の同軸ケーブル接続装置。
【請求項３】
前記外側導体は、同軸ケーブルの被布層上に後折り曲げられたことを特徴とする請求項１に記載の同軸ケーブル接続装置。
【請求項４】
前記中心導体接続孔は、前記コネクタの中心導体PINと接続することを特徴とする請求項１に記載の同軸ケーブル接続装置。
【考案の詳細な説明】
【技術分野】
【０００１】
この考案は同軸ケーブル接続装置に関し、特に、押圧接続型装置に関する。
【背景技術】
【０００２】
図１，１-１に示すように、従来の同軸ケーブル接続装置を開示する。図面によれば、従来の同軸ケーブル接続装置には、１つのコネクタ本体１０と、１つの接続室１１と、１つの銅管１２と、１つの案内孔１３と、１つの中心導体接続孔１４、１つの案内孔蓋１５と、１つの中心導体１６と、１つの外側導体１７と、からなり、その接続手段は、中心導体１６を、中心導体接続孔１４に穿入し、はんだで両中心導体１６を溶接し、さらに、ボルトなどで、外側導体１７と銅管１２を固定し、案内孔蓋１５で、案内孔１３を封じ込める。
【考案の開示】
【考案が解決しようとする課題】
【０００３】
前述従来の同軸ケーブル接続装置は、
１．はんだ溶接式ので、工作に時間がかかる。
２．はんだ溶接式ので、ショートと信号異常になりがちとなる。
３．溶接後案内孔蓋で封じ込め、外から見えないので、あまた中心導体がショートになりがちとなる。
４．案内孔が小さくて、はんだがよりサイズ大きいので、工作難いとなる。
５．工作完了後、若し異常が有れば、修理することができない。
この考案は、以上の問題を解決し、有効な同軸ケーブル接続装置を提供することを課題とする。
【課題を解決するための手段】
【０００４】
そこで、本考案者は従来の技術に見られる欠点に鑑み鋭意研究を重ねた結果、同軸ケーブル接続装置の構造は、１つのコネクタ本体と、１つの接続室と、１つの銅管と、１つの案内孔と、で構成され、その接続手段は、前記案内孔に、中心導体接続孔を設け、中心導体接続孔と接続室の間に絶縁層を設け、中心導体接続孔には、銅管と隣接側に、嵌合溝を設け、対向側に塞ぐ壁を設け、同軸ケーブルの中心導体が前記嵌合溝に穿入し、前記塞ぐ壁は、中心導体の穿入すぎを塞ぐ、中心導体と接続室を接触してショートになることを防ぐ、絶縁体で、中心導体接続孔の案内孔を覆いて、ねじより、案内孔に締め付け、中心導体が、絶縁体の凸部により押圧されて、中心導体接続孔と押圧接続になり、さらに、銅管と外側導体をボルトなどで固定する。
【考案の効果】
【０００５】
この考案によれば、同軸ケーブル接続装置には、
１．押圧接続式ので、工作簡易と時間削減となる。
２．押圧接続式ので、ショートと信号異常なことを防止する。
３．案内孔蓋の封じ込め、外から見えなく、あまた中心導体が接続室中でショートになることを発生しない。
４．押圧接続式ので、はんだで溶接工作が要らないので、不良率が少なくなる。
５．押圧接続式ので、工作完了後、若し異常が有れば、修理することができる。
６．絶縁層が中心導体をガイドするので、中心導体が穿入させるときに変形することを防止する。
７．嵌合溝と塞ぐ壁の作用で、中心導体の穿入すぎを塞ぐ、中心導体と接続室を接触してショートになることを防ぐことができる。
【実施例】
【０００６】
図２，３に示すように、この考案の同軸ケーブル接続装置を開示する。図面によれば、この考案による同軸ケーブル接続装置には、１つのコネクタ本体２０と、１つの接続室２１と、１つの銅管２２と、１つの案内孔２３と、で構成され、その接続手段は、前記コネクタ本体２０に、１つの接続室２１と、１つの案内孔２３と、１つの銅管２２と、を設け、接続室２１に、中心導体接続孔２４を設け、中心導体接続孔２４に、嵌合溝２４１と塞ぐ壁２４２を有し、中心導体接続孔２４と接続室２１の間に絶縁層２４０を設け、さらに、絶縁体２５を有し、中心導体接続孔２４の案内孔２３に結合し、ねじ２６より、絶縁体２５の上から案内孔２３を封止する。
図４〜７に示すように、この考案の組立工程を開示する。図面によれば、この考案による同軸ケーブル接続装置の接続工程は、まず案内孔２３に、中心導体接続孔２４を設け、中心導体接続孔２４と接続室２１の間に絶縁層２４０を設け、中心導体接続孔２４は、銅管２２と隣接側に、嵌合溝２４１を設け、同軸ケーブルの中心導体２７が嵌合溝２４１に穿入し、同時に、同軸ケーブルの外側導体２８が銅管２２に穿入しており、中心導体２７は、絶縁層２４０のガイドで、中心導体接続孔２４の嵌合溝２４１に穿入し、そこで、中心導体接続孔２４の塞ぐ壁２４２は、中心導体２７の穿入すぎを塞ぐ、中心導体２７と接続室２１を接触してショートになることを防ぐ、さらに、絶縁体２５で、中心導体接続孔２４の案内孔２３を覆い、ねじ２６より、絶縁体２５の上から案内孔２３を封止し、ねじ２６の締め付けと同時に、中心導体２７は、絶縁体２５の凸部により押圧されて、中心導体接続孔２４と押圧接続になり、最後に、銅管２２と外側導体２８をボルトなどで固定すると、接続工程が完成されることになる。
【図面の簡単な説明】
【０００７】
【図１】従来の同軸ケーブルコネクタの分解斜視図である。
【図１−１】従来の同軸ケーブルコネクタの断面図である。
【図２】この考案の分解斜視図である。
【図３】この考案の立体斜視図である。
【図４】この考案の組立工程図１である。
【図５】この考案の組立工程図２である。
【図６】この考案の組立工程図３である。
【図７】この考案の組立工程図４である。
【符号の説明】
【０００８】
１０       コネクタ本体
１１       接続室
１２       銅管
１３       案内孔
１４       中心導体接続孔
１５       案内孔蓋
１６       中心導体
１７       外側導体
２０       コネクタ本体
２１       接続室
２２       銅管
２３       案内孔
２４       中心導体接続孔
２４０     絶縁層
２４１     嵌合溝
２４２     塞ぐ壁
２５       絶縁体
２６       ねじ
２７       中心導体
２８       外側導体
【図１】
0003160498.tif 000003
【図１−１】
0003160498.tif 000004
【図２】
0003160498.tif 000005
【図３】
0003160498.tif 000006
【図４】
0003160498.tif 000007
【図５】
0003160498.tif 000008
【図６】
0003160498.tif 000009
【図７】
0003160498.tif 000010
【手続補正書】
【提出日】平成22年4月23日(2010.4.23)
【手続補正１】
【補正対象書類名】実用新案登録請求の範囲
【補正対象項目名】全文
【補正方法】変更
【補正の内容】
【実用新案登録請求の範囲】
【請求項１】
同軸ケーブル接続装置であって、その構造は、１つのコネクタ本体と、１つの接続室と、１つの銅管と、１つの案内孔と、で構成され、その接続手段は、前記案内孔に、中心導体接続孔を設け、中心導体接続孔と接続室の間に絶縁層を設け、中心導体接続孔には、銅管と隣接側に、嵌合溝を設け、対向側に塞ぐ壁を設け、同軸ケーブルの中心導体が前記嵌合溝に穿入し、前記塞ぐ壁は、中心導体の穿入すぎを塞ぐ、中心導体と接続室とが接触して短絡することを防ぐ絶縁体で、中心導体接続孔の案内孔を覆いて、ねじで該案内孔に締め付け、中心導体が、絶縁体の凸部により押圧されて、中心導体接続孔と押圧接続になり、さらに、銅管と外側導体をボルトで固定することを特徴とする同軸ケーブル接続装置。
【請求項２】
前記コネクタ本体は、９０度接続のコネクタであることを特徴とする請求項１に記載の同軸ケーブル接続装置。
【請求項３】
前記外側導体は、同軸ケーブルの被布層上に後折り曲げられたことを特徴とする請求項１に記載の同軸ケーブル接続装置。
【請求項４】
前記中心導体接続孔は、前記コネクタ本体の中心導体PINと接続することを特徴とする請求項１に記載の同軸ケーブル接続装置。
【手続補正２】
【補正対象書類名】明細書
【補正対象項目名】０００４
【補正方法】変更
【補正の内容】
【０００４】
そこで、本考案者は従来の技術に見られる欠点に鑑み鋭意研究を重ねた結果、同軸ケーブル接続装置の構造であって、１つのコネクタ本体と、１つの接続室と、１つの銅管と、１つの案内孔と、で構成され、その接続手段は、前記案内孔に、中心導体接続孔を設け、中心導体接続孔と接続室の間に絶縁層を設け、中心導体接続孔には、銅管と隣接側に、嵌合溝を設け、対向側に塞ぐ壁を設け、同軸ケーブルの中心導体が前記嵌合溝に穿入し、前記塞ぐ壁は、中心導体の穿入すぎを塞ぎ、中心導体と接続室とが接触して短絡することを防ぐ絶縁体で、中心導体接続孔の案内孔を覆いて、ねじで該案内孔に締め付け、中心導体が、絶縁体の凸部により押圧されて、中心導体接続孔と押圧接続になり、さらに、銅管と外側導体をボルトで固定する構造によって課題を解決できる点に着眼し、かかる知見に基づいて本考案を完成させた。